(57)【要約】【課題】人と人との間でコミュニケーションを取るためのきっかけを生み出すことが可能になる情報通知装置を提供する。【解決手段】スケジュール管理機能を有する情報通知サーバ１０において、例えば子供の居る家族がユーザＡ、その祖父母の家族がユーザＢとして共に登録されている場合に、ユーザＡの明日のスケジュールに非日常のスケジュール「あさ子の運動会」があると、当該ユーザＡからの通知先として設定されたユーザＢの通信端末２０Ｂに対してユーザＡの明日の非日常のスケジュール「あさ子の運動会」がメールＭにより通知されるので、ユーザＢ（祖父母）はこれをきっかけにしてユーザＡに連絡することができ、コミュニケーションを促進できる。【選択図】      図１
2014053839.tif 000002
【特許請求の範囲】
【請求項１】
スケジュールデータを記憶するスケジュール記憶手段と、
このスケジュール記憶手段により記憶されたスケジュールデータの中の非日常的なスケジュールデータを判断する非日常スケジュール判断手段と、
前記非日常スケジュール判断手段により判断された非日常的なスケジュールデータを他の通信端末に通知する非日常スケジュール通知手段と、
を備えたことを特徴とする情報通知装置。
【請求項２】
前記非日常スケジュール判断手段により判断された非日常的なスケジュールデータの通知先を特定する通知先特定手段と、備え、
非日常スケジュール通知手段は、前記非日常スケジュール判断手段により判断された非日常的なスケジュールデータを前記通知先特定手段により特定された通知先の通信端末に通知する、
ことを特徴とする請求項１に記載の情報通知装置。
【請求項３】
前記スケジュール記憶手段により記憶されたスケジュールデータの中の非日常的なスケジュールデータに対応付けてタグを付加する非日常タグ付加手段を備え、
前記非日常スケジュール判断手段は、
前記スケジュール記憶手段により記憶されたスケジュールデータの中で前記非日常タグ付加手段によりタグが付加されたスケジュールデータを非日常的なスケジュールデータとして判断する、
ことを特徴とする請求項１又は２に記載の情報通知装置。
【請求項４】
前記非日常タグ付加手段は、ユーザによって前記スケジュール記憶手段により記憶されたスケジュールデータが非日常的なスケジュールデータであるという情報を選択された場合、そのデータに対応付けてタグを付加する、
ことを特徴とする請求項１又は２に記載の情報通知端末。
【請求項５】
前記非日常タグ付加手段は、
前記スケジュール記憶手段により記憶されたスケジュールデータのうち同じ内容のスケジュールデータが予め設定された数以下であるスケジュールデータを非日常的なスケジュールデータとして識別する非日常スケジュール識別手段を有し、
この非日常スケジュール識別手段により識別されたスケジュールデータに対応付けてタグを付加する、
ことを特徴とする請求項３に記載の情報通知装置。
【請求項６】
前記非日常スケジュール識別手段は、
前記スケジュール記憶手段により記憶されたスケジュールデータの内容に含まれる語をその使用頻度と対応付けて記憶する使用語記憶手段を有し、
前記スケジュール記憶手段により記憶されたスケジュールデータのうち前記使用語記憶手段により記憶された予め設定された使用頻度以上である語を内容に含まないスケジュールデータを非日常的なスケジュールデータとして識別する、
ことを特徴とする請求項５に記載の情報通知装置。
【請求項７】
前記非日常スケジュール識別手段は、
非日常の語を記憶する非日常語記憶手段を有し、
前記スケジュール記憶手段により記憶されたスケジュールデータのうち前記非日常語記憶手段により記憶された語を内容に含むスケジュールデータを非日常的なスケジュールデータとして識別する、
ことを特徴とする請求項５に記載の情報通知装置。
【請求項８】
所定の時間になったかを判定する時間判定手段を有し、
前記非日常スケジュール判断手段は、前記スケジュール記憶手段により記憶されたスケジュールデータの中の次の日の非日常的なスケジュールデータを判断する、
ことを特徴とする請求項１ないし７の何れか１項に記載の情報通知装置。
【請求項９】
複数のグループ毎に当該グループに属するメンバを通知先として設定するグループ通知先設定手段と、
複数のグループ毎に当該グループに関連した用語を記憶するグループ別用語記憶手段と、
前記非日常スケジュール判断手段により判断された非日常的なスケジュールの内容に前記グループ別用語記憶手段により記憶された何れかのグループに関連する用語が含まれる場合にその用語のグループを当該非日常的スケジュールに関連するグループとして判断する関連グループ判断手段とを備え、
前記通知先特定手段は、前記関連グループ判断手段により判断されたグループに対応して前記グループ通知先設定手段により設定された当該グループに属するメンバを通知先として特定する、
ことを特徴とする請求項２ないし請求項８の何れか１項に記載の情報通知装置。
【請求項１０】
通信機能を有する電子機器のコンピュータを制御するためのプログラムであって、
前記コンピュータを、
スケジュールデータをメモリに記憶させるスケジュール記憶手段と、
このスケジュール記憶手段により記憶されたスケジュールデータの中の非日常的なスケジュールデータを判断する非日常スケジュール判断手段と、
この非日常スケジュール判断手段により判断された非日常的なスケジュールデータの通知先を特定する通知先特定手段と、
前記非日常スケジュール判断手段により判断された非日常的なスケジュールデータを前記通知先特定手段により特定された通知先の通信端末に通知する非日常スケジュール通知手段、
として機能させるためのプログラム。
【発明の詳細な説明】
【技術分野】
【０００１】
本発明は、人と人とのコミュニケーションを促進するための情報通知装置およびその制御プログラムに関する。
【背景技術】
【０００２】
固定電話、携帯電話、テレビ電話等、人と人とのコミュニケーションの為の様々な通信装置が普及している。これらの通信装置が普及したことで、離れている人同士でもコミュニケーションが取りやすくなった。例えば、離れて暮らす家族間では、遠隔地の家族と近況状況を報告し合ったり、悩み事を相談したりできる。
【０００３】
従来の通信装置において、複数の相手先番号とその相手先名称とを対応付けて登録した電話帳情報を表示させ、任意の１つの相手先名称を指定することで、発呼先を容易に選択可能な発呼先選択装置が考えられている（例えば、特許文献１参照。）。
【先行技術文献】
【特許文献】
【０００４】
【特許文献１】特開２００１−１１１６７４号公報
【発明の概要】
【発明が解決しようとする課題】
【０００５】
様々な通信装置の普及により、当該通信装置を利用した人と人とのコミュニケーションが促進されている一方で、親、兄弟、親戚であっても、コミュニケーションをとる為の話題やきっかけがないと、なかなかコミュニケーションは生まれない現実がある。
【０００６】
本発明は、このような課題に鑑みなされたもので、非日常的なスケジュールを通知することにより、人と人との間でコミュニケーションを取るためのきっかけを生み出すことが可能になる情報通知装置およびその制御プログラムを提供することを目的とする。
【課題を解決するための手段】
【０００７】
本発明に係る情報通知装置は、スケジュールデータを記憶するスケジュール記憶手段と、このスケジュール記憶手段により記憶されたスケジュールデータの中の非日常的なスケジュールデータを判断する非日常スケジュール判断手段と、前記非日常スケジュール判断手段により判断された非日常的なスケジュールデータを他の通信端末に通知する非日常スケジュール通知手段と、を備えたことを特徴としている。
【発明の効果】
【０００８】
本発明によれば、人と人との間でコミュニケーションを取るためのきっかけを生み出すことが可能になる情報通知装置およびその制御プログラムを提供できる。
【図面の簡単な説明】
【０００９】
【図１】本発明の情報通知装置の実施形態に係る情報通知サーバ１０を利用したコミュニケーション促進システムの構成を示す全体図。
【図２】前記情報通知サーバ１０によってユーザＡ，Ｂの通信端末２０Ａ，２０Ｂに表示されるスケジュール登録用の入力画面を示す図。
【図３】前記情報通知サーバ１０の電子回路の構成を示すブロック図。
【図４】前記情報通知サーバ１０のスケジュール管理メモリ１２ｃに記憶される管理データの内容を示す図。
【図５】前記情報通知サーバ１０の使用単語データベース１２ｄに記憶されるスケジュール内使用単語の内容を示す図。
【図６】前記情報通知サーバ１０のユーザ毎イベント通知先設定テーブル１２ｅに記憶される設定データの内容を示す図。
【図７】前記情報通知サーバ１０の非日常イベントデータベース１２ｆに記憶される非日常イベントの内容を示す図。
【図８】前記情報通知サーバ１０による非日常スケジュール解析処理を示すフローチャート。
【図９】前記情報通知サーバ１０による非日常イベント通知処理を示すフローチャート。
【図１０】前記情報通知サーバ１０のグループ別用語データベース１２ｇに記憶されるグループ別用語の内容を示す図。
【図１１】前記情報通知サーバ１０による他の実施形態の非日常イベント通知処理（グループ別）を示すフローチャート。
【発明を実施するための形態】
【００１０】
以下図面により本発明の実施の形態について説明する。
【００１１】
図１は、本発明の情報通知装置の実施形態に係る情報通知サーバ１０を利用したコミュニケーション促進システムの構成を示す全体図である。
【００１２】
ここでは、本コミュニケーション促進システムを、ユーザＡ宅とユーザＢ宅との間で利用した場合について示す。
【００１３】
このコミュニケーション促進システムは、コミュニケーションを促進したいユーザＡとユーザＢのスケジュール（年月日、時刻、内容）Ｓｃを、それぞれその通信端末２０Ａ，２０Ｂから情報通知サーバ１０に登録して利用する。
【００１４】
図２は、前記情報通知サーバ１０によってユーザＡ，Ｂの通信端末２０Ａ，２０Ｂに表示されるスケジュール登録用の入力画面を示す図である。
【００１５】
通信端末２０Ａ（２０Ｂ）から情報通知サーバ１０へアクセスしユーザ登録の手続きを行った後に、スケジュール登録の項目を選択すると、図２（Ａ）に示すように、スケジュール入力画面Ｇｓが表示される。このスケジュール入力画面Ｇｓには、年月日入力エリアＤａと内容入力エリアＡｃが設けられ、内容入力エリアＡｃには、メニュー選択ボタンＳｂが設けられる。
【００１６】
メニュー選択ボタンＳｂが指定されると、図２（Ｂ）に示すように、日常一般的な各種スケジュールの内容を選択するためのプルダウンメニューＬｓが前記内容入力エリアＡｃから下に連続して表示され、このプルダウンメニューＬｓに一覧表示された「その他」以外の任意の内容が選択されると、当該選択された内容が前記スケジュール入力画面Ｇｓの内容入力エリアＡｃに入力され日常的スケジュールとして登録される。
【００１７】
また、前記プルダウンメニューＬｓの中から「その他」が選択されると、図２（Ｃ）に示すように、内容入力エリアＡｃを単独表記した内容入力画面Ｇｃが表示され、この内容入力画面Ｇｃにおいて任意のスケジュールの内容を入力すると、当該入力された内容が前記スケジュール入力画面Ｇｓの内容入力エリアＡｃに表示され非日常的スケジュールとして登録される。
【００１８】
そして、前記情報通知サーバ１０は、ユーザＡ，Ｂによって登録されたスケジュールＳｃについて、非日常なイベントのあるスケジュールを識別して管理する機能、登録されたスケジュールＳｃの年月日、時刻を監視し、その事前又は事後に前記非日常として識別されたスケジュールについて、ユーザＡのスケジュールであればユーザＢの通信端末２０Ｂへ、ユーザＡのスケジュールであればユーザＢの通信端末２０Ｂへ通知する機能を有する。
【００１９】
ここで、非日常なイベントのあるスケジュールとは、例えば、日々、あるいは週単位、月単位で数多くあるようなスケジュールを日常なスケジュールとし、季節単位、あるいは年単位、不定期で数少ないスケジュールを非日常なスケジュールとして識別する。
【００２０】
具体的には、例えばユーザＡ宅が子供のいる家族、ユーザＢ宅がその祖父母のいる家族であって、ユーザＡ宅のスケジュールＳｃにおいて非日常として識別されたスケジュール「○月△日：あさ子の運動会」がある場合、当該スケジュールの内容が事前に情報通知サーバ１０からメールＭによってユーザＢ宅の通信端末２０Ｂへ通知される。
【００２１】
これにより、ユーザＢ宅では、前記情報通知サーバ１０から通信端末２０Ｂに通知されたユーザＡ宅の非日常なスケジュールをきっかけにして、当該ユーザＡ宅へ連絡してみようとの積極的な動機付けが得られるので、コミュニケーションを促進できるようになる。
【００２２】
図３は、前記情報通知サーバ１０の電子回路の構成を示すブロック図である。
【００２３】
この情報通知サーバ１０は、コンピュータである制御部（ＣＰＵ）１１を備えている。
【００２４】
制御部（ＣＰＵ）１１は、記憶装置１２に予め記憶されたサーバ制御プログラム、あるいは外部の記録媒体１３から記録媒体読み取り部１４を介して記憶装置１２に読み込まれたサーバ制御プログラム、あるいは通信ネットワークＮ上のＷｅｂサーバ（この場合はプログラムサーバ）から通信部１５を介して記憶装置１２にダウンロードされたサーバ制御プログラムに従い回路各部の動作を制御し各種の機能を実行する。
【００２５】
前記記憶装置１２に記憶されるサーバ制御プログラムとしては、全体の制御を司るシステムプログラムの他に、登録された各ユーザＡ，Ｂ，…のスケジュールを管理するためのスケジュール管理プログラム１２ａ、このスケジュール管理プログラム１２ａに従い管理される各ユーザＡ，Ｂ，…のスケジュールを対象に、非日常のスケジュールを識別したり、当該非日常として識別されたスケジュールをその事前又は事後に、通知先として登録されたユーザへ通知したりするためのイベント通知プログラム１２ｂ等が記憶される。
【００２６】
そして、前記記憶装置１２には、スケジュール管理メモリ１２ｃ、使用単語データベース１２ｄ、ユーザ毎イベント通知先設定テーブル１２ｅ、非日常イベントデータベース１２ｆ等の作業用データエリアが確保される。
【００２７】
図４は、前記情報通知サーバ１０のスケジュール管理メモリ１２ｃに記憶される管理データの内容を示す図である。
【００２８】
このスケジュール管理メモリ１２ｃには、本情報通知サーバ１０の登録ユーザＡ，Ｂ，…毎にその通信端末１０Ａ，１０Ｂ，…からのアクセスに応じて登録されたスケジュールの年月日、スケジュールの内容が記憶され、そのうち非日常のスケジュールには、非日常タグが付加されて記憶される。なお、前記記憶された年月日が一定期間を過ぎたスケジュールについては随時消去される。
【００２９】
図５は、前記情報通知サーバ１０の使用単語データベース１２ｄに記憶されるスケジュール内使用単語の内容を示す図である。
【００３０】
この使用単語データベース１２ｄには、前記スケジュール管理メモリ１２ｃに各ユーザＡ，Ｂ，…のスケジュールが登録される毎に、当該スケジュールの内容に使用されている全ての名詞の単語が抽出され、使用頻度と対応付けられて記憶される。
【００３１】
ここでは、スケジュールの内容に使用されている名詞の単語として、「給料日」「会議」「塾」等は使用頻度が非常に高く（日常的である）、「旅行」「運動会」等は使用頻度が低い（非日常的である）ことを示している。
【００３２】
図６は、前記情報通知サーバ１０のユーザ毎イベント通知先設定テーブル１２ｅに記憶される設定データの内容を示す図である。
【００３３】
このユーザ毎イベント通知先設定テーブル１２ｅには、各ユーザＡ，Ｂ，…の通信端末１０Ａ，１０Ｂ，…からのアクセスにより本情報通知サーバ１０へのユーザ登録を行うのに伴い、各ユーザＡ，Ｂ，…それぞれの非日常のスケジュールを通知してコミュニケーションの促進を図りたい通知先のユーザ名およびそのメールアドレスが入力されて記憶される。
【００３４】
図７は、前記情報通知サーバ１０の非日常イベントデータベース１２ｆに記憶される非日常イベントの内容を示す図である。
【００３５】
この非日常イベントデータベース１２ｆには、一般的に日常でなく非日常的なスケジュールとなり得るイベントの単語が、例えば「運動会」「旅行」「発表会」「入学式」「卒業式」等として予め記憶される。
【００３６】
ここで、前記スケジュール管理メモリ１２ｃに記憶される各スケジュールについて、その個々のスケジュールが非日常であるか否かを示すタグは、例えば以下の３つの手法（１）〜（３）の何れかにより識別されて付加される。
【００３７】
（１）対象スケジュールが、前記図２で示したように、スケジュール入力画面ＧｓのプルダウンメニューＬｓの「その他」を選択して内容入力画面Ｇｃの内容入力エリアＡｃから入力されたスケジュールであるか否かにより識別されて付加される。
【００３８】
（２）対象スケジュールの内容に前記使用単語データベース１２ｄに記憶された単語のうち例えばその使用頻度が下から５番目以上の各単語の何れをも含んでいないか否かにより識別されて付加される。
【００３９】
（３）対象スケジュールの内容に前記非日常イベントデータベース１２ｆに記憶された各単語の何れかを含むか否かにより識別されて付加される。
【００４０】
そして、前記制御部（ＣＰＵ）１１には、サーバ管理者により操作され参照される入力部１６及び表示部１７が接続され、また、通信ネットワーク（インターネット）Ｎ上にある各ユーザＡ，Ｂ，…の通信端末２０Ａ，２０Ｂ，…と適宜アクセスするための通信部１５が接続される。
【００４１】
このように構成された情報通知サーバ１０は、制御部（ＣＰＵ）１１が前記サーバ制御プログラム１２ａ，１２ｂに記述された命令に従い回路各部の動作を制御し、ソフトウエアとハードウエアとが協働して動作することにより、以下の動作説明で述べる非日常スケジュール解析機能および非日常スケジュール通知機能を実現する。
【００４２】
次に、前記構成のコミュニケーション促進システムにおける情報通知サーバ１０の動作について説明する。
【００４３】
図８は、前記情報通知サーバ１０による非日常スケジュール解析処理を示すフローチャートである。
【００４４】
なお、この実施形態の動作説明において、前記スケジュール管理メモリ１２ｃに記憶される各スケジュールについて、その個々のスケジュールが非日常であるか否かを識別する手法は、前記（２）の手法を用いた場合として説明する。
【００４５】
この非日常スケジュール解析処理は、本情報通知サーバ１０を利用する各ユーザＡ，Ｂ，…のスケジュールがスケジュール管理メモリ１２ｃに登録される毎に当該登録されたスケジュールを対象に実行されるか、あるいは定期的（例えば毎日定時）に同スケジュール管理メモリ１２ｃに新たに登録されたスケジュールを対象に実行される。
【００４６】
すなわち、あるユーザのスケジュールが入力されてスケジュール管理メモリ１２ｃに登録された場合に、この非日常スケジュール解析処理が起動されると、先ず、使用単語データベース１２ｄ（図５参照）が解析され（ステップＡ１）、前記登録されたスケジュールの内容に含まれる全ての名詞の単語が抽出されて使用単語データベース１２ｄに記憶される。この際、新しい単語については使用頻度“１”が対応付けられて記憶され、既に記憶されている単語についてはその使用頻度が“＋１”されて更新される（ステップＡ２）。
【００４７】
すると、今回登録されたスケジュールの内容に、前記使用単語データベース１２ｄに記憶されている使用単語うち、例えばその使用頻度が下から５番目以上である使用単語（よく使われる単語）が含まれているか否か判断される（ステップＡ３）。
【００４８】
そして、今回登録されたスケジュールの内容に、前記よく使われる単語が含まれていないと判断された場合には（ステップＡ３（Ｎｏ））、該当するスケジュールに対応付けて非日常タグが付加される（ステップＡ４）。
【００４９】
一方、今回登録されたスケジュールの内容に、前記よく使われる単語が含まれていると判断された場合には（ステップＡ３（Ｙｅｓ））、非日常タグは付加されずに本スケジュール解析処理は終了される。
【００５０】
これにより、例えば前記図４におけるスケジュール管理メモリ１２ｃに記憶されたユーザＡのスケジュールで示すように、非日常的なスケジュールである「運動会」や「旅行」に対しては非日常タグが付加されて記憶される。
【００５１】
図９は、前記情報通知サーバ１０による非日常イベント通知処理を示すフローチャートである。
【００５２】
この非日常イベント通知処理は、スケジュール管理メモリ１２ｃに登録されている全てのスケジュールを対象にユーザ毎に定期的（例えば毎日定時）に実行される。
【００５３】
すなわち、この非日常イベント通知処理が起動されると、スケジュール管理メモリ１２ｃ（図４参照）に記憶されている先ずユーザＡのスケジュールについて、現在の年月日の次の日（明日）のスケジュールがあるか否か判断される（ステップＢ１）。
【００５４】
例えば現在の年月日が２０１２年７月２４日であって、明日２５日のスケジュール「給料日」があると判断されると（ステップＢ１（Ｙｅｓ））、当該明日２５日のスケジュール「給料日」に非日常タグが付加されているか否か判断される（ステップＢ２）。
【００５５】
この場合、前記スケジュール「給料日」は、非日常タグが付加されていない日常的スケジュールと判断されるので（ステップＢ２（Ｎｏ））、再び先頭の処理ステップに戻り、当該ユーザＡの明日２５日のスケジュールで他のスケジュールがあるか否か繰り返し判断される（ステップＢ１）。
【００５６】
そして、前記同様に明日のスケジュールがあった場合でも非日常タグが付加されていない日常的スケジュールである場合は、何等の通知処理も行われない。
【００５７】
一方、例えば現在の年月日が２０１２年１０月９日であって、明日１０日のスケジュール「あさ子の運動会」があると判断された場合に（ステップＢ１（Ｙｅｓ））、当該スケジュール「あさ子の運動会」に非日常タグが付加されていると判断されると（ステップＢ２（Ｙｅｓ））、ユーザ毎イベント通知先設定テーブル１２ｅに設定されている当該ユーザＡ（子供のいる家族）に対応付けられた通知先ユーザＢ（その祖父母のいる家族）のアドレスに従い、同ユーザＢの通信端末２０Ｂに対して、前記非日常的スケジュールがメールＭ［１０月１０日のＡ宅スケジュール：「あさ子の運動会」］により通知される（ステップＢ３）。
【００５８】
この場合ユーザＢ（祖父母）宅では、前記情報通知サーバ１０から通信端末２０Ｂに通知されたユーザＡ（孫子）宅の非日常なスケジュール「あさ子の運動会」をきっかけにして、当該ユーザＡ宅へ例えば「運動会頑張れ！」「運動会応援しに行くよ！」など、連絡してみようとの積極的な動機付けが得られるので、コミュニケーションを促進できるようになる。
【００５９】
この後、ユーザＡの明日のスケジュールについて、前記一連の非日常イベント通知処理が終了すると、次のユーザＢ，Ｃ，…についても順次同様の非日常イベント通知処理が実行され、明日のスケジュールであって且つ非日常タグが付加されているスケジュールについて、設定された通知先ユーザの通信端末へメールＭによる通知が実行される。
【００６０】
したがって、前記構成のコミュニケーション促進システムにおける情報通知サーバ１０の非日常スケジュール解析機能および非日常スケジュール通知機能によれば、スケジュール管理メモリ１２ｃに記憶された登録ユーザＡ，Ｂ，…毎のスケジュールについて、各スケジュールの内容に基づいて非日常のスケジュールを識別し非日常タグを対応付けて管理する。そして、例えば毎日定時にユーザ毎に明日のスケジュールであって且つ非日常タグが対応付けられたスケジュールが有るかを判断し、該当するスケジュールが有る場合には、ユーザ毎イベント通知先設定テーブル１２ｅに設定された通知先ユーザのアドレスに従い、前記ユーザの非日常のスケジュールが明日あることについて通知先ユーザの通信端末２０Ｂへ通知される。
【００６１】
これにより、例えば子供の居る家族がユーザＡ、その祖父母の家族がユーザＢとして共に登録されている場合に、ユーザＡの明日のスケジュールに非日常のスケジュール「あさ子の運動会」があると、当該ユーザＡからの通知先として設定されたユーザＢの通信端末２０Ｂに対してユーザＡの明日のスケジュール「あさ子の運動会」がメールＭにより通知されるので、ユーザＢ（祖父母）はこれをきっかけにしてユーザＡに連絡することができ、コミュニケーションを促進できる。
【００６２】
なお、前記実施形態では、スケジュール管理メモリ１２ｃに記憶される各スケジュールについて、その個々のスケジュールが非日常であるか否かを示すタグは、３つの手法（１）〜（３）の何れかにより識別して付加する構成とした。
【００６３】
これに対し、スケジュール管理メモリ１２ｃには、スケジュールの年月日が過去になっても直ちに消去はせず、ある程度の長期にわたり各スケジュールを蓄積して記憶し、新たに入力されたスケジュールについて、それ以前に蓄積されたスケジュールに同じ内容が無いかあるいは数少ないことを判断して非日常と識別しタグを付加する構成としてもよい。
【００６４】
これによれば、前記使用単語データベース１２ｄや非日常イベントデータベース１２ｆを用意する必要が無くなる。
【００６５】
さらに、前記スケジュール管理メモリ１２ｃに記憶される各スケジュールについて、その登録時にユーザ自身が非日常か否かを判断してタグを付加する構成としてもよい。
【００６６】
また、前記実施形態では、非日常タグが付加されたスケジュールの前日に当該スケジュールの内容を設定された通知先に通知する構成としたが、前日に限らず、当日あるいは後日として構成してもよい。
【００６７】
また、前記実施形態では、スケジュール管理メモリ１２ｃに記憶されたユーザ毎のスケジュールについて、非日常タグの付加されたスケジュールの内容を、ユーザ毎イベント通知先設定テーブル１２ｅに設定された通知先のユーザへ通知する構成としたが、次の他の実施形態における図１０および図１１を参照して説明するように、ユーザが本情報通知サーバ１０に登録された複数のグループ（趣味や保護者の集まり等）に所属している場合に、非日常タグの付加されたスケジュールの内容が何れかのグループに関連する内容であるか否かを判断し、関連するグループ内のメンバに通知する構成としてもよい。
【００６８】
（他の実施形態）
この情報通知サーバ１０による他の実施形態の非日常イベント通知機能では、記憶装置１２に対して、グループ別用語データベース１２ｇの作業用データエリアが確保される。
【００６９】
図１０は、前記情報通知サーバ１０のグループ別用語データベース１２ｇに記憶されるグループ別用語の内容を示す図である。
【００７０】
このグループ別用語データベース１２ｇには、情報通知サーバ１０に登録されたユーザが属するグループＰ，Ｑ，…毎に、当該グループ内で使用される用語として頻度の高い単語が記憶される。
【００７１】
例えば幼稚園に通う子供の母親のグループＰ（ママ友）の用語としては、「ママ」「さくら組」「園」…等が記憶され、また、フラダンスを習うグループＱの用語としては、「フラ」「ハワイ」「舞踊」…等が記憶される。
【００７２】
なお、前記グループ別用語データベース１２ｇに記憶されたグループＰ，Ｑ，…に属するメンバのユーザ名およびそのメールアドレスは、例えば、本情報通知サーバ１０に登録された各ユーザの情報（ユーザ名／メールアドレス／所属グループ／…）が記憶されるユーザデータベース（図示せず）にリンク付けられて管理される。
【００７３】
図１１は、前記情報通知サーバ１０による他の実施形態の非日常イベント通知処理（グループ別）を示すフローチャートである。
【００７４】
すなわち、前記図９を参照して説明した実施形態の非日常イベント通知処理と同様に、スケジュール管理メモリ１２ｃに登録されたユーザ毎に、明日のスケジュールであって且つ非日常タグが付加されたスケジュールが有るか否かが判断される（ステップＴ１，Ｔ２）。
【００７５】
ここで、あるユーザの明日のスケジュールで且つ非日常タグが付加されたスケジュールが有ると判断されると（ステップＴ１，Ｔ２（Ｙｅｓ））、当該スケジュールの内容に前記グループ別用語データベース１２ｇに記憶されているグループＰの何れかの用語が含まれているか否かにより同グループＰに関連するスケジュールであるか否かが判断される（ステップＴ３）。
【００７６】
ここで、グループＰに関連するスケジュールであると判断された場合は（ステップＴ３（Ｙｅｓ））、同スケジュールの内容が前記ユーザデータベース（図示せず）に記憶された当該グループＰに所属する各ユーザのメールアドレスに従い通知される（ステップＴ４）。
【００７７】
一方、あるユーザの明日のスケジュールで且つ非日常タグが付加されたスケジュールについて（ステップＴ１，Ｔ２（Ｙｅｓ））、グループＰに関連するスケジュールではないと判断された場合は（ステップＴ３（Ｎｏ））、前記グループ別用語データベース１２ｇに記憶されているグループＱの何れかの用語が含まれているか否かにより同グループＱに関連するスケジュールであるか否かが判断される（ステップＴ５）。
【００７８】
そして、グループＱに関連するスケジュールであると判断された場合は（ステップＴ５（Ｙｅｓ））、同スケジュールの内容が前記ユーザデータベース（図示せず）に記憶された当該グループＱに所属する各ユーザのメールアドレスに従い同各ユーザの通信端末へ通知される（ステップＴ６）。
【００７９】
したがって、前記構成のコミュニケーション促進システムにおける情報通知サーバ１０の他の実施形態の非日常スケジュール通知機能（グループ別）によれば、例えば毎日定時にユーザ毎に明日のスケジュールであって且つ非日常タグが対応付けられたスケジュールが有るかを判断し、該当するスケジュールが有る場合には、さらにそのスケジュールの内容が予め登録されたグループに関連するスケジュールであるかを判断する。そして、何れかのグループに関連する内容のスケジュールであると判断された場合は、当該スケジュールの内容が同グループに所属する登録ユーザの通信端末２０…へ通知される。
【００８０】
これにより、例えばグループＰ（ママ友）に属する園児の居る家族がユーザＡとして登録されている場合に、ユーザＡの明日のスケジュールに非日常のスケジュール「ＡＢＣ園の運動会」があると、このスケジュールに関連するグループＰに属する各ユーザの通信端末２０…に対してユーザＡの明日のスケジュール「ＡＢＣ園の運動会」がメールＭにより通知されるので、同グループＰ内の各ユーザはこれをきっかけにしてユーザＡは勿論お互いに連絡し合うことができ、コミュニケーションを促進できる。
【００８１】
なお、前記実施形態のユーザ毎イベント通知先設定テーブル１２ｅによりユーザ毎に設定された通知先の通信端末へ当該ユーザの非日常のスケジュールを通知する非日常スケジュール通知機能と、前記他の実施形態の非日常のスケジュールを当該スケジュールの内容に関連するグループに属する各ユーザの通信端末へ通知する非日常スケジュール通知機能（グループ別）とを組み合わせて構成してもよい。
【００８２】
すなわち、例えばあるユーザの明日の非日常のスケジュールについて、当該ユーザに対応付けられて設定された通知先のユーザ（通信端末）へ通知するのと共に、同スケジュールの内容が登録ユーザの何れかのグループに関連するスケジュールであるかを判断し、そうである場合には、同グループ内の各ユーザ（通信端末）へも通知する構成とする。
【００８３】
これによれば、各ユーザはそれぞれ自身のスケジュールを情報通知サーバ１０に登録して利用するだけで、当該ユーザの非日常のスケジュールをきっかけに、予め登録した親戚や知人等だけでなく、スケジュールに関連するグループのメンバからも連絡を受けやすくなり、より広範な相手とコミュニケーションを促進できる。
【００８４】
なお、前記各実施形態では、情報通知サーバ１０において、当該サーバ１０に登録した各ユーザのスケジュールを管理すると共に、ユーザ毎の非日常スケジュールを解析し、その非日常スケジュールを、各ユーザが設定した通知先ユーザの通信端末２０やスケジュールの内容に関連したグループに属する各ユーザの通信端末２０…に通知する構成とした。これに対し、各個人の通信端末２０Ａ，２０Ｂ，…において、ユーザ自身のスケジュールを管理すると共に、非日常スケジュールを解析し、その非日常スケジュールを、ユーザが設定した通知先ユーザの通信端末２０やスケジュールの内容に関連したグループに属する各ユーザの通信端末２０…に通知する構成としてもよい。
【００８５】
前記各実施形態において記載した情報通知サーバ１０による各処理の手法およびデータ、すなわち、図８のフローチャートに示す非日常スケジュール解析処理、図９のフローチャートに示す非日常イベント通知処理、図１１のフローチャートに示す他の実施形態の非日常イベント通知処理（グループ別）などの各手法、および図４に示すスケジュール管理データ１２ｃ、図５に示す使用単語データベース１２ｄ、図６に示すユーザ毎イベント通知先設定テーブル１２ｅ、図７に示す非日常イベントデータベース１２ｆ、図１０に示すグループ別用語データベース１２ｇなどのデータは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体（１３）に格納して配布することができる。そして、スケジュール管理機能を有する通信機器１０（２０Ａ，２０Ｂ，…）のコンピュータ（ＣＰＵ１１）は、この外部記録媒体（１３）に記憶されたプログラムを記憶装置（１２）に読み込み、この読み込んだプログラムによって動作が制御されることにより、前記各実施形態において説明した非日常スケジュール解析機能や非日常イベント通知機能を実現し、前述した手法による同様の処理を実行することができる。
【００８６】
また、前記各手法を実現するためのプログラムのデータは、プログラムコードの形態として通信ネットワークＮ上を伝送させることができ、この通信ネットワークＮに接続されたコンピュータ装置（プログラムサーバ）から前記のプログラムデータをスケジュール管理機能を有する通信機器１０（２０Ａ，２０Ｂ，…）に取り込んで記憶装置（１２）に記憶させ、前述した非日常スケジュール解析機能や非日常イベント通知機能を実現することもできる。
【００８７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８８】
以下に、本願出願の当初の特許請求の範囲に記載された発明を付記する。
【００８９】
［１］
スケジュールデータを記憶するスケジュール記憶手段と、
このスケジュール記憶手段により記憶されたスケジュールデータの中の非日常的なスケジュールデータを判断する非日常スケジュール判断手段と、
前記非日常スケジュール判断手段により判断された非日常的なスケジュールデータを他の通信端末に通知する非日常スケジュール通知手段と、
を備えたことを特徴とする情報通知装置。
【００９０】
［２］
前記非日常スケジュール判断手段により判断された非日常的なスケジュールデータの通知先を特定する通知先特定手段と、備え、
非日常スケジュール通知手段は、前記非日常スケジュール判断手段により判断された非日常的なスケジュールデータを前記通知先特定手段により特定された通知先の通信端末に通知する、
ことを特徴とする［１］に記載の情報通知装置。
【００９１】
［３］
前記スケジュール記憶手段により記憶されたスケジュールデータの中の非日常的なスケジュールデータに対応付けてタグを付加する非日常タグ付加手段を備え、
前記非日常スケジュール判断手段は、
前記スケジュール記憶手段により記憶されたスケジュールデータの中で前記非日常タグ付加手段によりタグが付加されたスケジュールデータを非日常的なスケジュールデータとして判断する、
ことを特徴とする［１］又は［２］に記載の情報通知装置。
【００９２】
［４］
前記非日常タグ付加手段は、ユーザによって前記スケジュール記憶手段により記憶されたスケジュールデータが非日常的なスケジュールデータであるという情報を選択された場合、そのデータに対応付けてタグを付加する、
ことを特徴とする［１］又は［２］に記載の情報通知端末。
【００９３】
［５］
前記非日常タグ付加手段は、
前記スケジュール記憶手段により記憶されたスケジュールデータのうち同じ内容のスケジュールデータが予め設定された数以下であるスケジュールデータを非日常的なスケジュールデータとして識別する非日常スケジュール識別手段を有し、
この非日常スケジュール識別手段により識別されたスケジュールデータに対応付けてタグを付加する、
ことを特徴とする［３］に記載の情報通知装置。
【００９４】
［６］
前記非日常スケジュール識別手段は、
前記スケジュール記憶手段により記憶されたスケジュールデータの内容に含まれる語をその使用頻度と対応付けて記憶する使用語記憶手段を有し、
前記スケジュール記憶手段により記憶されたスケジュールデータのうち前記使用語記憶手段により記憶された予め設定された使用頻度以上である語を内容に含まないスケジュールデータを非日常的なスケジュールデータとして識別する、
ことを特徴とする［５］に記載の情報通知装置。
【００９５】
［７］
前記非日常スケジュール識別手段は、
非日常の語を記憶する非日常語記憶手段を有し、
前記スケジュール記憶手段により記憶されたスケジュールデータのうち前記非日常語記憶手段により記憶された語を内容に含むスケジュールデータを非日常的なスケジュールデータとして識別する、
ことを特徴とする［５］に記載の情報通知装置。
【００９６】
［８］
所定の時間になったかを判定する時間判定手段を有し、
前記非日常スケジュール判断手段は、前記スケジュール記憶手段により記憶されたスケジュールデータの中の次の日の非日常的なスケジュールデータを判断する、
ことを特徴とする［１］ないし［７］の何れかに記載の情報通知装置。
【００９７】
［９］
複数のグループ毎に当該グループに属するメンバを通知先として設定するグループ通知先設定手段と、
複数のグループ毎に当該グループに関連した用語を記憶するグループ別用語記憶手段と、
前記非日常スケジュール判断手段により判断された非日常的なスケジュールの内容に前記グループ別用語記憶手段により記憶された何れかのグループに関連する用語が含まれる場合にその用語のグループを当該非日常的スケジュールに関連するグループとして判断する関連グループ判断手段とを備え、
前記通知先特定手段は、前記関連グループ判断手段により判断されたグループに対応して前記グループ通知先設定手段により設定された当該グループに属するメンバを通知先として特定する、
ことを特徴とする［２］ないし［８］の何れかに記載の情報通知装置。
【００９８】
［１０］
通信機能を有する電子機器のコンピュータを制御するためのプログラムであって、
前記コンピュータを、
スケジュールデータをメモリに記憶させるスケジュール記憶手段と、
このスケジュール記憶手段により記憶されたスケジュールデータの中の非日常的なスケジュールデータを判断する非日常スケジュール判断手段と、
この非日常スケジュール判断手段により判断された非日常的なスケジュールデータの通知先を特定する通知先特定手段と、
前記非日常スケジュール判断手段により判断された非日常的なスケジュールデータを前記通知先特定手段により特定された通知先の通信端末に通知する非日常スケジュール通知手段、
として機能させるためのプログラム。
【符号の説明】
【００９９】
１０  …情報通知サーバ
１１  …制御部（ＣＰＵ）
１２  …記憶装置
１２ａ…スケジュール管理プログラム
１２ｂ…イベント通知プログラム
１２ｃ…スケジュール管理メモリ
１２ｄ…使用単語データベース
１２ｅ…ユーザ毎イベント通知先設定テーブル
１２ｆ…非日常イベントデータベース
１２ｇ…グループ別用語データベース
１３  …外部記録媒体
１４  …記録媒体読み取り部
１５  …通信部
１６  …入力部
１７  …表示部
２０Ａ，２０Ｂ，…ユーザ通信端末
【図１】
2014053839.tif 000003
【図２】
2014053839.tif 000004
【図３】
2014053839.tif 000005
【図４】
2014053839.tif 000006
【図５】
2014053839.tif 000007
【図６】
2014053839.tif 000008
【図７】
2014053839.tif 000009
【図８】
2014053839.tif 000010
【図９】
2014053839.tif 000011
【図１０】
2014053839.tif 000012
【図１１】
2014053839.tif 000013